(57)【要約】【課題】カメラのアクセサリの盗難防止を図ることができるセキュリティ装置及びカメラアクセサリを提供する。【解決手段】交換レンズ１０は使用者又はカメラ情報が格納されるレンズ側記憶部１２を備える。レンズ側制御部１１は交換レンズ１０に入力された識別情報とレンズ側記憶部１２に格納された使用者又はカメラ情報とが一致したとき、電磁シリンダに通電して絞り環を非ロック状態にし、正常撮影を可能にする。また、レンズ側制御部１１は交換レンズ１０に入力された識別情報と使用者又はカメラ情報とが一致しないとき、電磁シリンダを非通電として絞り環をロック状態にし、正常撮影を不可能にする。【選択図】図１
2007212599.tif 000002
【特許請求の範囲】
【請求項１】
カメラ本体に装着されるアクセサリのセキュリティ装置において、
使用者又はカメラ情報が格納される記憶手段を備えていることを特徴とするセキュリティ装置。
【請求項２】
前記アクセサリに入力された識別情報と前記記憶手段に格納された使用者又はカメラ情報とが一致したときに撮影動作を許可する許可手段を備えていることを特徴とする請求項１記載のセキュリティ装置。
【請求項３】
前記アクセサリに入力された識別情報と前記使用者又はカメラ情報とが一致しないときに異常動作を行わせる制御手段を備えていることを特徴とする請求項１記載のセキュリティ装置。
【請求項４】
前記アクセサリは交換レンズであり、前記異常動作は前記交換レンズの絞り環を動作できない状態にする動作であることを特徴とする請求項３記載のセキュリティ装置。
【請求項５】
前記アクセサリは交換レンズであり、前記異常動作は前記交換レンズの絞りを正常な撮影ができない状態にする動作であることを特徴とする請求項３記載のセキュリティ装置。
【請求項６】
前記アクセサリは交換レンズであり、前記異常動作は前記交換レンズの光学系の一部を変位させる動作であることを特徴とする請求項３記載のセキュリティ装置。
【請求項７】
前記交換レンズは手ぶれ補正機構を備えており、前記光学系の一部を変位させる動作は手ぶれ補正機構を用いて行なうことを特徴とする請求項６記載のセキュリティ装置。
【請求項８】
前記異常動作は撮影に必要な情報を前記カメラ本体へ送らない又は異常な情報を前記カメラ本体へ送る動作であることを特徴とする請求項３記載のセキュリティ装置。
【請求項９】
前記記憶手段への前記使用者又はカメラ情報の格納は前記カメラ本体に設けられた入力手段で行われることを特徴とする請求項１〜８のいずれか１項記載のセキュリティ装置。
【請求項１０】
請求項１〜９のいずれか１項記載のセキュリティ装置を備えていることを特徴とするカメラアクセサリ。
【発明の詳細な説明】
【技術分野】
【０００１】
この発明はセキュリティ装置及びカメラアクセサリに関する。
【背景技術】
【０００２】
従来、盗難防止機能を有するカメラとして、特開２００１−９１９７８号公報に記載されたものが知られている。予め、識別情報（カメラの使用者（買主）の特徴を表す情報）を入力し、これを参照情報としてＥＥＰＲＯＭに登録する。そして、カメラ購入時に入力された情報を、登録された参照情報と照合する。この照合によってカメラの動作の許否が決定される。したがって、本来のカメラの使用者以外の人はカメラを使用することができないことになるからカメラの盗難防止効果を期待することができる。
【特許文献１】特開２００１−９１９７８号公報
【発明の開示】
【発明が解決しようとする課題】
【０００３】
ところで、例えば交換レンズ等はカメラのアクセサリであり、その性質上構造を複雑にしないため、盗難を防止するためのセキュリティ装置を備えていなかった。しかし、交換レンズは高価なものであるから、盗難の対象として狙われ易いという問題がある。
【０００４】
この発明はこのような事情に鑑みてなされたもので、その課題はカメラのアクセサリの盗難防止を図ることができるセキュリティ装置及びカメラアクセサリを提供することである。
【課題を解決するための手段】
【０００５】
前述の課題を解決するため請求項１記載の発明は、カメラ本体に装着されるアクセサリのセキュリティ装置において、使用者又はカメラ情報が格納される記憶手段を備えていることを特徴とする。
【０００６】
請求項２記載の発明は、請求項１記載のセキュリティ装置において、前記アクセサリに入力された識別情報と前記記憶手段に格納された使用者又はカメラ情報とが一致したときに撮影動作を許可する許可手段を備えていることを特徴とする。
【０００７】
請求項３記載の発明は、請求項１記載のセキュリティ装置において、前記アクセサリに入力された識別情報と前記使用者又はカメラ情報とが一致しないときに異常動作を行わせる制御手段を備えていることを特徴とする。
【０００８】
請求項４記載の発明は、請求項３記載のセキュリティ装置において、前記アクセサリは交換レンズであり、前記異常動作は前記交換レンズの絞り環を動作できない状態にする動作であることを特徴とする。
【０００９】
請求項５記載の発明は、請求項３記載のセキュリティ装置において、前記アクセサリは交換レンズであり、前記異常動作は前記交換レンズの絞りを正常な撮影ができない状態にする動作であることを特徴とする。
【００１０】
請求項６記載の発明は、請求項３記載のセキュリティ装置において、前記アクセサリは交換レンズであり、前記異常動作は前記交換レンズの光学系の一部を変位させる動作であることを特徴とする。
【００１１】
請求項７記載の発明は、請求項６記載のセキュリティ装置において、前記交換レンズは手ぶれ補正機構を備えており、前記光学系の一部を変位させる動作は手ぶれ補正機構を用いて行なうことを特徴とする。
【００１２】
請求項８記載の発明は、請求項３記載のセキュリティ装置において、前記異常動作は撮影に必要な情報を前記カメラ本体へ送らない又は異常な情報を前記カメラ本体へ送る動作であることを特徴とする。
【００１３】
請求項９記載の発明は、請求項１〜８のいずれか１項記載のセキュリティ装置において、前記記憶手段への前記使用者又はカメラ情報の格納は前記カメラ本体に設けられた入力手段で行われることを特徴とする。
【００１４】
請求項１０記載の発明は、請求項１〜９のいずれか１項記載のセキュリティ装置を備えていることを特徴とする。
【発明の効果】
【００１５】
この発明によれば、カメラのアクセサリの盗難防止を図ることができる。
【発明を実施するための最良の形態】
【００１６】
以下、この発明の実施の形態を図面に基づいて説明する。
【００１７】
図１はこの発明の第１実施形態に係るセキュリティ装置を備えるカメラを説明するためのブロック図、図２はカメラの側面を示す概念図である。
【００１８】
このカメラはＤ−ＳＬＲカメラ（Ｄｉｇｉｔａｌ  Ｓｉｎｇｌｅ  Ｌｅｎｓ  Ｒｅｆｌｅｘ  ｃａｍｅｒａ）である。
【００１９】
カメラは交換レンズ（アクセサリ）１０とカメラ本体３０とからなる。交換レンズ１０はレンズ側制御部１１とレンズ側記憶部（記憶手段）１２と機構部１３とを備えている。カメラ本体３０は入力部（入力手段）３１と本体側記憶部３２とを備えている。なお、図示しないが、カメラ本体３０はカメラ全体の動作を制御する本体側制御部を備えている。
【００２０】
入力部３１は例えばカメラ本体３０の背面に設けられた操作ボタン（図示せず）である。レンズ側記憶部１２は例えば読み書き可能なＩＣチップで構成されている。レンズ側記憶部１２には使用者又はカメラ情報（例えばレンズ型式、使用者名、暗証番号等の情報）が格納されている。
【００２１】
レンズ側制御部１１は許可手段及び制御手段としての機能を有し、例えばワンチップマイクロコンピュータで構成される。交換レンズ１０がカメラ本体３０に装着されたとき、レンズ側制御部１１は本体側記憶部３２に予め入力部３１を操作して記憶された識別情報とレンズ側記憶部１２に記憶された使用者又はカメラ情報とを比較する。
【００２２】
レンズ側制御部１１は本体側記憶部３２に記憶された識別情報とレンズ側記憶部１２に記憶された使用者又はカメラ情報とが一致したとき、カメラの正常な撮影動作ができるように機構部１３を制御する。一方、本体側記憶部３２に記憶された識別情報とレンズ側記憶部１２に記憶された使用者又はカメラ情報とが一致しないとき、レンズ側制御部１１はカメラの正常な撮影動作ができないように機構部１３を異常動作させる。異常動作とは例えば後述のように絞り環１６が動かないようにする等の動作を指す。
【００２３】
機構部１３は後述するように交換レンズ１０の絞り環１６、絞り２０の動作を制限したり、レンズ１５ａを傾かせたりする機構である。
【００２４】
カメラ本体側記憶部３２は例えば読み書き可能なＩＣチップで構成されている。カメラ本体側記憶部３２には交換レンズ１０の識別情報が登録されている。
【００２５】
次に、交換レンズ１０のセキュリティ設定方法を説明する。
【００２６】
図３（ａ）、（ｂ）は交換レンズのセキュリティ設定方法の一例を説明するためのフローチャートである。
【００２７】
初めて交換レンズ１０をカメラ本体３０へ装着するとき（図３（ａ）参照）。
【００２８】
まず、交換レンズ１０をカメラ本体３０に装着する（Ｓ３０１）。
【００２９】
次に、レンズ側記憶部１２にカメラ本体側記憶部３２に予め記憶された使用者又はカメラ情報（Ｓ３０２）を読み込ませ（Ｓ３０３）、記憶させる（Ｓ３０４）。また、この登録は同じ組合わせであれば、初回だけ行われる。なお、１つの交換レンズ１０を複数の人が共同で用いるときには、共同使用者の複数台のカメラ本体３０のそれぞれに共同使用する交換レンズ１０を装着して各共同使用者のカメラ本体に対応するカメラ情報を記憶させればよい。
【００３０】
交換レンズ１０のカメラ本体３０への装着が２回目以降のとき（図３（ｂ）参照）。
【００３１】
交換レンズ１０をカメラ本体３０に装着したとき（Ｓ３１１）、本体側記憶部３２に記憶された使用者又はカメラ情報とレンズ側記憶部１２に記憶された使用者又はカメラ情報とがレンズ側制御部１１で比較される（Ｓ３１２）。
【００３２】
比較の結果、本体側記憶部３２に記憶された使用者又はカメラ情報とレンズ側記憶部１２に記憶された使用者又はカメラ情報とが一致したとき、正しい組合わせである（適合）と判断され、正常な撮影を行うことができる（Ｓ３１３）。
【００３３】
これに対し、他人が盗んだ交換レンズ１０をカメラ本体３０以外のカメラ本体に装着した場合には、本体側記憶部３２に記憶された使用者又はカメラ情報とレンズ側記憶部１２に記憶された使用者又はカメラ情報とが一致しないため、正しい組合わせでない（不適合）と判断され、正常な撮影を行うことができない（Ｓ３１４）。
【００３４】
図４（ａ）、（ｂ）は交換レンズのセキュリティ設定方法の他の例を説明するためのフローチャートである。
【００３５】
初めて交換レンズ１０をカメラ本体３０へ装着するとき（図４（ａ）参照）。
【００３６】
まず、交換レンズ１０をカメラ本体３０に装着する（Ｓ４０１）。
【００３７】
カメラ本体３０の表示画面３１に、レンズ型式、使用者名、暗証番号等を表示させる（Ｓ４０２）。
【００３８】
入力部３１を操作してレンズ側記憶部１２にレンズ型式、使用者名、暗証番号等（Ｓ４０２）を読み込ませ（Ｓ４０３）、記憶させる。この登録によって、交換レンズ１０とカメラ本体３０との組み合わせのときだけ撮影可能となる。なお、この登録は同じ組合わせであれば、初回だけ行われる。
【００３９】
交換レンズ１０のカメラ本体３０への装着が２回目以降のとき（図４（ｂ）参照）。
【００４０】
交換レンズ１０をカメラ本体３０に装着した後（Ｓ４１１）、入力部３１から暗証番号を入力する（Ｓ４１２）。
【００４１】
次に、入力された暗証番号とレンズ側記憶部１２に記憶された暗証番号とが比較される（Ｓ４１３）。
【００４２】
比較の結果、入力された暗証番号とレンズ側記憶部１２に記憶された暗証番号とが一致したとき、正しい組合わせである（適合）と判断され、正常な撮影を行うことができる（Ｓ４１４）。
【００４３】
これに対し、他人が盗んだ交換レンズ１０を他のカメラ本体に装着した場合には、入力された暗証番号とレンズ側記憶部１２に記憶された暗証番号とが一致しないため、正しい組合わせでない（不適合）と判断され、正常な撮影を行うことができない（Ｓ４１５）。
【００４４】
図５は交換レンズのセキュリティ設定方法の他の例を説明するためのフローチャートである。
【００４５】
交換レンズ１０をカメラ本体３０に装着したとき（Ｓ５０１）、本体側記憶部３２に記憶された使用者又はカメラ情報とレンズ側記憶部１２に記憶された使用者又はカメラ情報とが比較される（Ｓ５０２）。
【００４６】
比較の結果、本体側記憶部３２に予め記憶された使用者又はカメラ情報とレンズ側記憶部１２に記憶された使用者又はカメラ情報とが一致したとき、正しい組合わせである（適合）と判断される。このとき、ＡＥ（Ａｕｔｏ  Ｅｘｐｏｓｕｒｅ）、ＡＦ（Ａｕｔｏ  Ｆｏｃｕｓ）等の撮影に必要な情報を交換レンズ情報として（Ｓ５０３）交換レンズ１０からカメラ本体３０へ送る（Ｓ５０４）。その結果、正常な撮影を行うことができる。
【００４７】
これに対し、他人が盗んだ交換レンズ１０を他のカメラ本体に装着した場合には、本体側記憶部３２に予め記憶された使用者又はカメラ情報とレンズ側記憶部１２に記憶された使用者又はカメラ情報とが一致しないため、正しい組合わせでない（不適合）と判断される。このとき、交換レンズ１０から誤った交換レンズ情報をカメラ本体３０に送ったり、交換レンズ１０から交換レンズ情報をカメラ本体３０に送らなかったりする（Ｓ５０６）。その結果、カメラ本体３０では撮影に必要な交換レンズ情報を得ることができず、正しい正常な撮影を行うことができない（Ｓ５０７）。
【００４８】
次に、機構部１３の具体例を説明する。
【００４９】
図６（ａ）、（ｂ）は機構部の一例を示す概念図である。
【００５０】
機構部１３（図１参照）は交換レンズ１０のレンズ鏡筒１５と絞り環１６と電磁シリンダ１７とで構成される。
【００５１】
レンズ鏡筒１５は図示しないレンズや絞り等を包む、円筒形のハウジングである。レンズ鏡筒１５には電磁シリンダ１７のピン１７ａを挿通可能な孔１５ａが形成されている。
【００５２】
絞り環１６はレンズ鏡筒１５の外側に摺動可能に配置されるリング状のものであり、これを回すことによって視野を規制したり、開口の集光力を規制したりする。絞り環１６には電磁シリンダ１７のピン１７ａを収容可能な凹部１６ａが形成されている。
【００５３】
電磁シリンダ１７はレンズ鏡筒１５の内部に配置されている。電磁シリンダ１７は電磁コイル１７ｂとピン１７ａと圧縮ばね１７ｃとを有する。通電（交換レンズ１０は電池を内蔵していないので、カメラ本体３０に内蔵された電池から電力が供給される）時、ピン１７ａが励磁電流によって圧縮ばね１７ｃに抗して上昇して凹部１６ａから脱出するので、絞り環１６は非ロック状態となる（図６（ａ）参照）。
【００５４】
電磁シリンダ１７はラッチイングタイプであり、非通電時、ピン１７ａは圧縮ばね７ｃのばね力によって凹部１６ａ内に挿入され、絞り環１６はロック状態となる（図６（ｂ）参照）。この絞り環１６のロック状態は例えばレンズ鏡筒１５に設けた外部スイッチ（図示せず）からの信号で解除することができる。
【００５５】
例えば、本体側記憶部３２に記憶された使用者又はカメラ情報とレンズ側記憶部１２に記憶された使用者又はカメラ情報とが一致したとき、レンズ側制御部１１によって電磁シリンダ１７が通電状態とされ、ピン１７ａが凹部１６ａから脱出し、絞り環１６が非ロック状態となる。その結果、絞り環１６を回転させて正常な撮影を行うことができる。
【００５６】
また、本体側記憶部３２に予め記憶された使用者又はカメラ情報とレンズ側記憶部１２に記憶された使用者又はカメラ情報とが一致しないとき、レンズ側制御部１１によって電磁シリンダ１７が非通電状態とされ、ピン１７ａが凹部１６ａに止まり、絞り環１６がロック状態となる。その結果、絞り環１６を回転させることができなくなり正常な撮影を行うことができない。
【００５７】
なお、図示しないがロック状態のときにレンズ鏡筒１５側のマウント部にピンが出っ張るようにして交換レンズ１０をカメラ本体３０に取り付けることができないようにしてもよい。
【００５８】
図７（ａ）、（ｂ）、（ｃ）は機構部の他の例を示す概念図である。
【００５９】
機構部１３は絞り２０で構成される。絞り２０は重なり合った複数の羽根２０ａを有し、羽根２０ａによって形成される開口２０ｂの大きさを調節して光の量を制限する。
【００６０】
例えば、暗証番号を入力してセキュリティ設定した場合、入力された暗証番号とレンズ側記憶部１２に記憶された暗証番号とが一致したとき、レンズ側制御部１１からの制御信号に基づいて絞り２０が動作し、開口２０ｂの径が図７（ａ）に示す径から図７（ｂ）に示す径までの範囲内で変化させて適正な絞り値（絞りによって調整される値）になる。その結果、撮影に必要な光量が得られ、正常な撮影を行うことができる。
【００６１】
これに対し、入力された暗証番号とレンズ側記憶部１２に記憶された暗証番号とが一致しないとき、レンズ側制御部１１からの制御信号に基づいて絞り２０が動作し、図７（ｃ）に示すように開口２０ｂの径が最小（絞り値最大）にロックされる。その結果、撮影に必要な光量が得られなくなり、正常な撮影を行うことができなくなる。
【００６２】
なお、上記説明では絞り値を最大に設定することで正常な撮影を行うことができないようにしたが、絞り値を最小に設定するようにして正常な撮影を行うことができないようにしてもよい。
【００６３】
図８（ａ）、（ｂ）は機構部の他の例を示す概念図である。
【００６４】
機構部１３は交換レンズ１０のレンズ鏡筒１５内に配置された複数枚のレンズのうちの１枚の補正レンズ１５ａとこの補正レンズ１５ａを変位させる手ぶれ補正機構１８とで構成される。手ぶれ補正機構１８は例えば補正レンズ１５ａの周囲に配置したボイスコイルモータとこのモータによって駆動される駆動機構とで構成される。
【００６５】
例えば、入力された暗証番号とレンズ側記憶部１２に記憶された暗証番号とが一致したとき、レンズ側制御部１１からの制御信号に基づいて手ぶれ補正機構がレンズ１５ａを図８（ａ）に示すように保つ。その結果、正常な撮影を行うことができる。
【００６６】
これに対し、入力された暗証番号とレンズ側記憶部１２に記憶された暗証番号とが一致しないとき、手ぶれ補正機構がレンズ１５ａを図８（ｂ）に示すように傾かせる。その結果、光路が曲がり、正常な撮影を行うことができなくなる。
【００６７】
この実施形態によれば、レンズ側記憶部１２に使用者又はカメラ情報が記憶されているので、その情報を利用して交換レンズ１０の盗難防止を図ることができる。
【００６８】
図９はこの発明の第２実施形態に係るセキュリティ装置を備えるカメラの側面を示す概念図であり、第１実施形態と共通する部分には同一符号を付してその説明を省略する。
【００６９】
この実施形態は交換レンズ１１０の異常動作状態の解除をリモートコントローラ４０を用いて行えるようにした点で第１実施形態と相違する。
【００７０】
交換レンズ１１０は受信部１４を備える。図示しないが、交換レンズ１１０は第１実施形態と同様にレンズ側制御部１１とレンズ側記憶部（記憶手段）１２と機構部１３とを備えるるとともに、電磁シリンダ１７に電力を供給するための電池を内蔵している。
【００７１】
リモートコントローラ４０は例えば電磁シリンダ１７によるロック状態を解除するためのセキュリティ情報ａ１を記憶する記憶部４１と送信部４２とを有する。リモートコントローラ４０が交換レンズ１１０に近づいたとき、送信部４２はセキュリティ情報ａ１を送信する。
【００７２】
受信部１４は送信部４２からのセキュリティ情報ａ１を受信したとき、ロック解除のための電気信号を発生させて、例えば電磁シリンダ１７へ電力を供給する。
【００７３】
電磁シリンダ１７によるロック状態を解除するには、リモートコントローラ４０を交換レンズ１１０に近づける。リモートコントローラ４０の送信部４２からのセキュリティ情報ａ１を受信した受信部１４は電磁シリンダ１７へ電力を供給して電磁シリンダ１７によるロック状態を解除する。
【００７４】
この実施形態によれば、第１実施形態と同様の効果を奏するとともに、ロック状態を解除できるセキュリティ情報ａ１を記憶したリモートコントローラ４０を持っていることで容易に交換レンズ１１０の正規の使用者であることを確認できる。
【００７５】
なお、交換レンズ１１０を複数の人が共同で用いるときには、交換レンズ１１０とリモートコントローラ４０とをセットとして使用するようにすればよい。
【００７６】
次に、盗難防止に有効なリモートコントローラ４０の使用方法の一例を説明する。
【００７７】
交換レンズ１１０の製造者は交換レンズ１１０と２つのリモートコントローラ４０とを販売する。購入者は正規の使用者であることを示すセキュリティ情報を２つのリモートコントローラ４０にそれぞれ登録した後、一方のリモートコントローラ４０を製造者に送る。
【００７８】
製造者は購入者から送り返されてきたリモートコントローラ４０を管理する。
【００７９】
購入者がリモートコントローラ４０を紛失した場合、購入者は交換レンズ１１０を製造者に送れば、製造者が持っているリモートコントローラ４０に登録されているセキュリティ情報から送り主が正規の使用者であることを容易に確認することができる。
【００８０】
製造者は交換レンズ１１０のセキュリティ情報を新しいものに書き換えた後、新しいリモートコントローラ４０とともに交換レンズ１１０を購入者へ送る。
【００８１】
その後、製造者は新しいセキュリティ情報を登録したリモートコントローラ４０を管理する。
【００８２】
例えば、正規の使用者でない者が交換レンズ１１０のリモートコントローラ４０を紛失したとして交換レンズ１０を製造者に送った場合、製造者は交換レンズ１０の正規の使用者を確認できない限りセキュリティ情報の書き換えを行わない。したがって、正規の使用者以外交換レンズ１０を使用できないことから、盗難防止効果が高まる。
【００８３】
なお、アクセサリは交換レンズ１０，１１０に限られるものではない。
【図面の簡単な説明】
【００８４】
【図１】図１はこの発明の第１実施形態に係るセキュリティ装置を備えるカメラを説明するためのブロック図である。
【図２】図２はカメラの側面を示す概念図である。
【図３】図３（ａ）、（ｂ）は交換レンズのセキュリティ設定方法の一例を説明するためのフローチャートである。
【図４】図４（ａ）、（ｂ）は交換レンズのセキュリティ設定方法の他の例を説明するためのフローチャートである。
【図５】図５は交換レンズのセキュリティ設定方法の他の例を説明するためのフローチャートである。
【図６】図６（ａ）、（ｂ）は機構部の一例を示す概念図である。
【図７】図７（ａ）、（ｂ）、（ｃ）は機構部の他の例を示す概念図である。
【図８】図８（ａ）、（ｂ）は機構部の他の例を示す概念図である。
【図９】図９はこの発明の第２実施形態に係るセキュリティ装置を備えるカメラの側面を示す概念図である。
【符号の説明】
【００８５】
１０、１１０：交換レンズ（アクセサリ）、１１：レンズ側制御部（制御手段、許可手段）、１２：レンズ側記憶部（記憶手段）、１３：機構部、１５ａ：レンズ、１６：絞り環、１８：手ぶれ補正機構、２０：絞り、３０：カメラ本体、３１：入力部（入力手段）。
【図１】
2007212599.tif 000003
【図２】
2007212599.tif 000004
【図３】
2007212599.tif 000005
【図４】
2007212599.tif 000006
【図５】
2007212599.tif 000007
【図６】
2007212599.tif 000008
【図７】
2007212599.tif 000009
【図８】
2007212599.tif 000010
【図９】
2007212599.tif 000011